(57)【特許請求の範囲】
【請求項１】
一端部に接点を有し他端部が端子である固定接片と、少なくとも一端部に接点を有する可動接片と、略Ｔ字状になるように該可動接片を一端部で当接しながら揺動自在に支持し他端部が端子である可動接片支持片と、を有する電源スイッチであって、線材として軟銅撚銅線又は編組銅線を用いて、該可動接片支持片と該可動接片とを短絡させたものにおいて、該可動接片においては該可動接片支持片との当接部の略直近部に該可動接片の短辺と平行に該線材の一端部を這わせて、該線材の一端部をスポット溶接したことを特徴とする電源スイッチ。
【発明の詳細な説明】
【０００１】
【発明の属する技術分野】
本発明は、例えば、シーソースイッチ等の電源スイッチにおいて、１０アンペアを越える電流を開閉しても発熱が抑えられ、耐久性及び信頼性の改善に係るものであり、詳しくは可動接片と可動接片支持片とを線材で短絡させたものにおいて、遊動による疲労断線が起こりにくい配線改善に関する。
【０００２】
【従来の技術】
従来より、一端部に接点を有し他端部が端子（例えば、半田付け端子、タブ端子、ファストン端子、ターミナル端子等）である固定接片と、少なくとも一端部に接点を有する可動接片と、略Ｔ字状になるように該可動接片を一端部で当接しながら揺動自在に支持し他端部が端子である可動接片支持片と、を有する、例えば、シーソースイッチ等の主電流を開閉する電源スイッチは、家庭用電気機器（例えば、洗濯機、扇風機、掃除機等）に搭載されている場合が多い。
一般に、該電源スイッチは１０アンペアを越える接点容量を有しているが、７アンペア以下の主電流を開閉させる場合が多く、それ以上の電流を開閉させる場合は、リレー等を用いて主電流を開閉し、該リレー等の励磁電流を電源スイッチが開閉するといった方式が採用されている。
しかしながら、該電源スイッチで１０アンペアを越える電流を開閉させたい要望が多く、そのままでその電流を流すと、該可動接片と該可動接片支持片との当接部が発熱するという問題点があるので、該電源スイッチの該可動接片と該可動接片支持片とを線材で短絡させて対応している場合が多い。
【０００３】
【発明が解決しようとする課題】
しかしながら、該線材の遊動による疲労断線は、電源スイッチの開閉試験において、通常１〜３万回の往復開閉で起こりえて、断線箇所は主に、スポット溶接部又はその近辺であるという問題点があった。
参考ではあるが、因みに、本発明の出願日時点での電気用品取締法（昭和３６年１１月１６日法律第２３４号）関連の電気用品の技術上の基準を定める省令（昭和３７年８月１４日通商産業省令第８５号）別表第八１（２）ヌ（ホ）に記載されている試験を行った場合、１千回の往復開閉で、素線の断線率が３０％以下、という基準があるが、家庭用電気機器では最低でも１０万回の往復開閉までの耐久性向上を要望される場合が多い。
【０００４】
本発明は、従来の技術の有するこのような問題点を鑑みてなされたものであり、その目的とするところは、線材の遊動による疲労断線が１０万回以上の往復開閉でも起こりにくい電源スイッチを提供しようとするものである。
【０００５】
【課題を解決するための手段】
上記目的を達成するために、一端部に接点を有し他端部が端子である固定接片と、少なくとも一端部に接点を有する可動接片と、略Ｔ字状になるように該可動接片を一端部で当接しながら揺動自在に支持し他端部が端子である可動接片支持片と、を有し、線材として軟銅撚銅線又は編組銅線を用いて、該可動接片支持片と該可動接片とを短絡させた本発明の電源スイッチは、該可動接片においては該可動接片支持片との当接部の略直近部に該可動接片の短辺と平行に該線材の一端部を這わせて、該線材の一端部をスポット溶接したことを特徴とする。
【０００６】
【発明の実施の形態】
発明の実施の形態について図面を参照して説明する。
本実施例の電源スイッチ１０において、図１はその断面図であり、図２は可動接片３０及び可動接片支持片４０の当接状態の斜視図であり、図３は線材５０を延ばした状態（スポット溶接直後）の可動接片３０及び可動接片支持片４０の展開図である。
本発明の電源スイッチ１０は、一端部に接点２１（例えば、銀カドミニウム張銅合金）を有し他端部が端子２２である固定接片２０（例えば、真鍮、真鍮に錫メッキ、燐青銅、ステンレススチール）と、少なくとも一端部に接点３１を有する可動接片３０（例えば、真鍮、燐青銅、ステンレススチール）と、略Ｔ字状になるように該可動接片３０の当接部３４を一端部（当接部）４１で当接しながら揺動自在に支持し他端部が端子４２である可動接片支持片４０（例えば、真鍮、真鍮に錫メッキ、燐青銅、ステンレススチール）と、スイッチケース１１（例えば、ＰＰ樹脂）と、スイッチ釦１２（例えば、ＡＢＳ樹脂）と、押し板１３（例えば、ＰＢＴ樹脂）と、圧縮コイルスプリング１４（例えば、ＳＵＳ３０４）等と、からなる。
他端部にも接点３１を有する可動接片３０を設けた場合は、もう一つの固定接片２０を設ければ、交互切り換えタイプの電源スイッチになる。
【０００７】
電源スイッチには、スイッチ釦１２の形状や、押し板１３のロック機構の有無により、幾つかのタイプがあるが、本発明においては、押し板１３のロック機構については省略する。
また、本発明においては、片切りタイプの電源スイッチで実施したが、両切りタイプの電源スイッチ（固定接片２０、可動接片３０、可動接片支持片４０を２個づづ設ければ良い。）にもそのまま実施できる。
【０００８】
該可動接片３０においては、該可動接片支持片４０の当接部４１との当接部３４の略直近部に、詳しくは該可動接片３０の他端部側３２に、短辺３３と平行に該線材５０の一端部５１を這わせて、該線材５０の一端部５１をスポット溶接（スポット溶接部５３）した。
又、該線材５０と固定接片２０との絶縁が確保出来れば、該可動接片３０の一端部側３１に、短辺３３と平行に該線材５０の一端部５１を這わせて、該線材５０の一端部５１をスポット溶接しても良い。
線材５０としては、耐久性及び信頼性向上の為には、裸電線の軟銅撚銅線又は編組銅線を用いるのが良い。絶縁を要求される場合等は、被覆電線のものを用いても良い。
【０００９】
本発明の該可動接片支持片４０においては、加工性を重視して図３のように、縦長辺４３と平行に該線材５０の一端部５１を這わせて、該線材５０の他端部５２をスポット溶接（スポット溶接部５３）したが、短辺４４と平行に該線材５０の一端部５１を這わせて、該線材５０の他端部５２をスポット溶接しても良いし、斜め（対角線も含む。）に該線材５０の一端部５１を這わせて、該線材５０の他端部５２をスポット溶接しても良い。
【００１０】
前記のように該可動接片３０と該可動接片支持片４０とを線材５０で短絡させた本発明における電源スイッチ１０においては、線材５０の遊動による疲労断線が、１５万回から２０万回以上の往復開閉試験でも起こりにくいという結果がでた。
【００１１】
以上、本発明の好適な実施の形態について種々の組合せ等を述べてきたが、本発明は上述する実施の形態に限定されるものでなく、発明の精神を逸脱しない範囲で多くの組合せ、改変等を施し得るのはもちろんである。
【００１２】
【発明の効果】
本発明における電源スイッチにおいては、線材の遊動による疲労断線が１０万回以上の往復開閉でも起こりにくいという効果を奏する。
【図面の簡単な説明】
【図１】本発明の電源スイッチの断面図である。
【図２】本発明の電源スイッチの可動接片及び可動接片支持片の当接状態の斜視図である。
【図３】本発明の電源スイッチの線材を延ばした状態（スポット溶接直後）の可動接片及び可動接片支持片の展開図である。
【符号の説明】
１０…電源スイッチ、１１…スイッチケース、１２…スイッチ釦、１３…押し板、１４…圧縮コイルスプリング、２０…固定接片、２１…接点（一端部）、２２…端子（他端部）、３０…可動接片、３１…接点（一端部）、３２…他端部、３３…短辺、３４…当接部、４０…可動接片支持片、４１…一端部（当接部）、４２…端子（他端部）、４３…縦長辺、４４…短辺、５０…線材、５１…一端部、５２…他端部、５３…スポット溶接部
【図１】
0003574868.tif 000002
【図２】
0003574868.tif 000003
【図３】
0003574868.tif 000004